(57)【要約】【課題】ベッドのヘッドボードやフットボードとサイドレールとの間に形成された隙間に誤って身体が挟まれて怪我や事故が発生してしまうのを防止すること。【解決手段】本発明では、基台（２）にヘッドボード（３）又は／及びフットボード（４）とサイドレール（5a〜5d）とを設けたベッド（１）において、ヘッドボード（３）又は／及びフットボード（４）を基台（２）に対して移動可能に設けるとともに、ヘッドボード（３）又は／及びフットボード（４）の移動によって形成されるヘッドボード（３）又は／及びフットボード（４）とサイドレール（5a〜5d）との間の隙間を塞ぐためのサイドガード（8a〜8d）を着脱可能に設けることにした。【選択図】図１
2020195835.tif 000002
【特許請求の範囲】
【請求項１】
基台にヘッドボード又は／及びフットボードとサイドレールとを設けたベッドにおいて、
ヘッドボード又は／及びフットボードを基台に対して移動可能に設けるとともに、ヘッドボード又は／及びフットボードの移動によって形成されるヘッドボード又は／及びフットボードとサイドレールとの間の隙間を塞ぐためのサイドガードを着脱可能に設け、
サイドガードは、
サイドレールの上側に装着される上側ガード部材と、サイドレールの下側に装着される下側ガード部材と、上側ガード部材と下側ガード部材とで挟持される中間ガード部材とを有し、
上側ガード部材及び下側ガード部材の前端部には、それぞれ、
サイドレールの水平方向へ伸延する水平フレームの外周形状の半分以上と同一の内周形状を有して、水平フレームの外周面に密着するとともに水平フレームに弾性力で保持され、サイドレールの水平方向へ伸延する水平フレームに装着されて垂直方向への抜け止めとして機能する水平装着部と、
サイドレールの垂直方向へ伸延する垂直フレームの外周形状の半分以上と同一の内周形状を有して、垂直フレームの外周面に密着するとともに垂直フレームに弾性力で保持され、サイドレールの垂直方向へ伸延する垂直フレームに装着されて水平方向への抜け止めとして機能する垂直装着部とを有し、
上側ガード部材と下側ガード部材の後部間に中間ガード部材を挿入してヘッドボード又は／及びフットボードとサイドレールとの間の隙間を塞ぐことを特徴とするベッド。
【発明の詳細な説明】
【技術分野】
【０００１】
本発明は、基台にヘッドボードやフットボードとサイドレールとが設けられたベッドに関するものである。
【背景技術】
【０００２】
従来より、主に介護用や病院用のベッドなどにおいては、横臥者の転落防止などのために横臥者の周囲にヘッドボード・フットボード・サイドレールが設けられている（たとえば、特許文献１参照。）。
【０００３】
このヘッドボードなどを設けたベッドでは、ベッドを使用する横臥者の体格が様々であるために、ベッドに設けられたヘッドボードなどが横臥者の身体に近接して配置されていると、横臥者に圧迫感を与えてしまうおそれがある。
【０００４】
そのため、ヘッドボードなどを設けたベッドでは、横臥者が横臥する基台に対してヘッドボードやフットボードの位置を横臥者の身長方向に移動できるようにすることが望まれる。
【先行技術文献】
【特許文献】
【０００５】
【特許文献１】特開２０１６−３６６４５号公報
【発明の概要】
【発明が解決しようとする課題】
【０００６】
しかしながら、ベッドの基台に対してヘッドボードやフットボードを横臥者の身長方向に移動できるようにすると、ヘッドボードやフットボードの端縁とサイドレールの端縁との間に広い隙間が形成されてしまう。
【０００７】
そうすると、ヘッドボードやフットボードとサイドレールとの間の隙間に横臥者や介護者などの身体の一部が誤って挟まれてしまうおそれがあり、怪我や事故の原因となるおそれがある。
【課題を解決するための手段】
【０００８】
そこで、本発明では、基台にヘッドボード又は／及びフットボードとサイドレールとを設けたベッドにおいて、ヘッドボード又は／及びフットボードを基台に対して移動可能に設けるとともに、ヘッドボード又は／及びフットボードの移動によって形成されるヘッドボード又は／及びフットボードとサイドレールとの間の隙間を塞ぐためのサイドガードを着脱可能に設け、サイドガードは、サイドレールの上側に装着される上側ガード部材と、サイドレールの下側に装着される下側ガード部材と、上側ガード部材と下側ガード部材とで挟持される中間ガード部材とを有し、上側ガード部材及び下側ガード部材の前端部には、それぞれ、サイドレールの水平方向へ伸延する水平フレームの外周形状の半分以上と同一の内周形状を有して、水平フレームの外周面に密着するとともに水平フレームに弾性力で保持され、サイドレールの水平方向へ伸延する水平フレームに装着されて垂直方向への抜け止めとして機能する水平装着部と、サイドレールの垂直方向へ伸延する垂直フレームの外周形状の半分以上と同一の内周形状を有して、垂直フレームの外周面に密着するとともに垂直フレームに弾性力で保持され、サイドレールの垂直方向へ伸延する垂直フレームに装着されて水平方向への抜け止めとして機能する垂直装着部とを有し、上側ガード部材と下側ガード部材の後部間に中間ガード部材を挿入してヘッドボード又は／及びフットボードとサイドレールとの間の隙間を塞ぐことにした。
【発明の効果】
【０００９】
そして、本発明では、以下に記載する効果を奏する。
【００１０】
すなわち、本発明では、基台にヘッドボード又は／及びフットボードとサイドレールとを設けたベッドにおいて、ヘッドボード又は／及びフットボードを基台に対して移動可能に設けるとともに、ヘッドボード又は／及びフットボードの移動によって形成されるヘッドボード又は／及びフットボードとサイドレールとの間の隙間を塞ぐためのサイドガードを着脱可能に設けることにしているために、基台に対してヘッドボード又は／及びフットボードを移動させることによってヘッドボード又は／及びフットボードとサイドレールとの間の隙間が広がっても、その隙間がサイドガードで塞がれるために、ヘッドボード又は／及びフットボードとサイドレールとの間の隙間に身体の一部が誤って挟まれてしまうのを防ぐことができ、怪我や事故の発生を防止することができる。
【００１１】
特に、サイドガードが、サイドレールの水平方向へ伸延する水平フレームに装着されて垂直方向への抜け止めとして機能する水平装着部と、サイドレールの垂直方向へ伸延する垂直フレームに装着されて水平方向への抜け止めとして機能する垂直装着部とを有する場合には、サイドガードをサイドレールに頑丈に装着することができ、サイドガードの脱落を防止することができる。
【００１２】
また、サイドガードが、サイドレールの上側に装着される上側ガード部材と、サイドレールの下側に装着される下側ガード部材と、上側ガード部材と下側ガード部材とで挟持される中間ガード部材とを有する場合には、サイドガードをサイドレールに容易に装着することができる。
【図面の簡単な説明】
【００１３】
【図１】本発明に係るベッドを示す平面図（ａ）、左側面図（ｂ）。
【図２】サイドガードを示す背面図（ａ）、左側面図（ｂ）、正面図（ｃ）。
【発明を実施するための形態】
【００１４】
以下に、本発明に係るベッドの具体的な構成について図面を参照しながら説明する。
【００１５】
図１に示すように、ベッド１は、横臥者が横臥する基台２の周囲にヘッドボード３とフットボード４とサイドレール5a〜5dとを配設している。
【００１６】
このベッド１では、前後方向（横臥者の身長方向）に伸延させた平面視で縦長矩形状の基台２の後端部（横臥者の頭上側）に左右一対の支持フレーム6,6を前後方向に進退移動可能に設け、支持フレーム6,6に正面視で横長矩形板状のヘッドボード３を着脱可能に取付けている。これにより、ベッド１は、ヘッドボード３の位置を基台２に対して横臥者の身長方向（横臥者の頭上方向）に移動させることができる。
【００１７】
また、ベッド１では、基台２の前端部（横臥者の足先側）に左右一対の支持フレーム7,7を前後方向に進退移動可能に設け、支持フレーム7,7に正面視で横長矩形板状のフットボード４を着脱可能に取付けている。これにより、ベッド１は、フットボード４の位置を基台２に対して横臥者の身長方向（横臥者の足先方向）に移動させることができる。
【００１８】
また、ベッド１では、基台２の左右端縁部（横臥者の左右側方側）に前後に分けてサイドレール5a〜5dを着脱可能に取付けている。
【００１９】
さらに、ベッド１では、ヘッドボード３を後方側（横臥者の頭上側）に移動させることによって形成される左側後部のサイドレール5aの後端部とヘッドボード３の左端部との間の隙間を塞ぐためのサイドガード8aを左側後部のサイドレール5aの後端部に着脱可能に取付けている。同様に、ベッド１では、右側後部のサイドレール5bの後端部にサイドガード8bを着脱可能に取付け、左側前部のサイドレール5cの前端部にサイドガード8cを着脱可能に取付け、右側前部のサイドレール5dの前端部にサイドガード8dを着脱可能に取付けている。
【００２０】
サイドガード8a〜8dは、全て同様の構造となっているため、ここでは、左側後部のサイドガード8aの構造について説明する。サイドガード8aは、図２に示すように、サイドレール5aの後端上部側に着脱可能に装着される上側ガード部材９と、サイドレール5aの後端下部側に着脱可能に装着される下側ガード部材10と、これらの上側ガード部材９と下側ガード部材10との間に設けられる中間ガード部材11とで分割可能に構成している。ここでは、上側ガード部材９と下側ガード部材10とは同一の形状としている。
【００２１】
上側ガード部材９は、プラスチック等の弾性を有する素材で形成されており、後側下部に中間ガード部材11の上端部を挿入するための凹状の挿入部12が形成され、前端部にサイドレール5aの後端上部を挿入するための凹状略Ｌ字型の装着部13が形成されている。
【００２２】
装着部13は、サイドレール5aの上端の水平方向へ向けて伸延する水平フレーム14に装着される水平装着部15と、サイドレール5aの後端の垂直方向へ向けて伸延する垂直フレーム16に装着される垂直装着部17とで構成されている。水平装着部15は、水平フレーム14の断面の半分以上の上側外周形状と同一の内周形状を有しており、水平フレーム14の外周面に密着するとともに水平フレーム14に弾性力で保持されるようにしている。これにより、水平装着部15は、水平フレーム14の上方側から下方に向けて水平フレーム14に装着（圧入）されることで水平フレーム14によって保持され、垂直方向（上方）への抜け止めとして機能する。また、垂直装着部17は、垂直フレーム16の断面の半分以上の後側外周形状と同一の内周形状を有しており、垂直フレーム16の外周面に密着するとともに垂直フレーム16に弾性力で保持されるようにしている。これにより、垂直装着部17は、垂直フレーム16の後方側から前方に向けて垂直フレーム16に装着（圧入）されることで垂直フレーム16によって保持され、水平方向（後方）への抜け止めとして機能する。
【００２３】
同様に、下側ガード部材10は、プラスチック等の可撓性を有する素材で形成されており、後側上部に中間ガード部材11の下端部を挿入するための凹状の挿入部18が形成され、前端部にサイドレール5aの後端下部を挿入するための凹状略Ｌ字型の装着部19が形成されている。装着部19は、サイドレール5aの下端の水平方向へ向けて伸延する水平フレーム20に装着される水平装着部21と、サイドレール5aの後端の垂直方向へ向けて伸延する垂直フレーム16に装着される垂直装着部22とで構成されている。水平装着部21は、水平フレーム20の断面の半分以上の下側外周形状と同一の内周形状を有しており、水平フレーム20の外周面に密着するとともに水平フレーム20に弾性力で保持されるようにしている。これにより、水平装着部21は、水平フレーム20の下方側から上方に向けて水平フレーム20に装着（圧入）されることで水平フレーム20によって保持され、垂直方向（下方）への抜け止めとして機能する。また、垂直装着部22は、垂直フレーム16の断面の半分以上の後側外周形状と同一の内周形状を有しており、垂直フレーム16の外周面に密着するとともに垂直フレーム16に弾性力で保持されるようにしている。これにより、垂直装着部22は、垂直フレーム16の後方側から前方に向けて垂直フレーム16に装着（圧入）されることで垂直フレーム16によって保持され、水平方向（後方）への抜け止めとして機能する。
【００２４】
ベッド１は、以上に説明したように構成している。そして、サイドガード8a〜8dは、ベッド１のヘッドボード３を後方側（横臥者の頭上側）に移動させた際（ヘッドボード３を図１の一点鎖線の状態から実線の状態に移動させた際）やフットボード４を前方側（横臥者の足先側）に移動させた際（フットボード４を図１の一点鎖線の状態から実線の状態に移動させた際）に、各サイドレール5a〜5dにそれぞれ装着する。これにより、ベッド１のヘッドボード３やフットボード４を移動させた際に形成されるヘッドボード３やフットボード４とサイドレール5a〜5dとの間の隙間をサイドガード8a〜8dで塞ぐようにしている。
【００２５】
なお、上記ベッド１では、基台２にヘッドボード３とフットボード４とを設けるとともにそれぞれの左右側部にサイドレール5a〜5dを設けているが、これに限られず、ヘッドボード３又はフットボード４のいずれかのみとその左側部又は右側部にサイドレール5a（5b〜5c）を設けたものでもよい。また、上記ベッド１では、サイドガード8a〜8dをサイドレール5a〜5dに設けているが、これに限られず、ヘッドボード３やフットボード４に設けたものでもよい。
【００２６】
以上に説明したように、上記ベッド１は、ヘッドボード３又は／及びフットボード４を基台２に対して横臥者の身長方向（横臥者の頭上方向又は横臥者の足先方向）に移動可能に設けるとともに、ヘッドボード３又は／及びフットボード４を横臥者の頭上方向又は横臥者の足先方向へ移動させることによって形成されるヘッドボード３又は／及びフットボード４とサイドレール5a〜5dとの間の隙間を塞ぐためのサイドガード8a〜8dをサイドレール5a〜5d又はヘッドボード３若しくはフットボード４に着脱可能に設けた構成となっている。
【００２７】
そのため、上記構成のベッド１では、横臥者の体格等に応じてヘッドボード３又は／及びフットボード４の位置を移動させることができ、横臥者に与える圧迫感を解消することができる。しかも、上記構成のベッド１では、基台２に対してヘッドボード３又は／及びフットボード４を移動させることによってヘッドボード３又は／及びフットボード４とサイドレール5a〜5dとの間の隙間が広がっても、その隙間をサイドガード8a〜8dで塞ぐことができるために、ヘッドボード３又は／及びフットボード４とサイドレール5a〜5dとの間の隙間に身体の一部が誤って挟まれてしまうのを防ぐことができ、怪我や事故の発生を防止することができる。
【００２８】
また、上記ベッド１では、サイドガード8a〜8dが、サイドレール5a〜5dの水平方向へ伸延する水平フレーム14(20)に装着されて垂直方向への抜け止めとして機能する水平装着部15(21)と、サイドレール5a〜5dの垂直方向へ伸延する垂直フレーム16に装着されて水平方向への抜け止めとして機能する垂直装着部17(22)とを有する構成となっている。
【００２９】
そのため、上記ベッド１では、サイドガード8a〜8dをサイドレール5a〜5dに頑丈に装着することができ、サイドガード8a〜8dの脱落を防止することができる。特に、サイドガード8a〜8dの弾性力でサイドレール5a〜5dに保持されるようにした場合には、特別の工具を用いることなく容易にサイドガード8a〜8dを着脱することができる。
【００３０】
さらに、上記ベッド１では、サイドガード8a〜8dが、サイドレール5a〜5dの上側に装着される上側ガード部材９と、サイドレール5a〜5dの下側に装着される下側ガード部材10と、上側ガード部材９と下側ガード部材10とで挟持される中間ガード部材11とを有する構成となっている。
【００３１】
そのため、上記ベッド１では、サイドガード8a〜8dをサイドレール5a〜5dに容易に装着することができる。特に、上側ガード部材９と下側ガード部材10とを同一形状とした場合には、部品コストの低廉化を図ることができる。
【符号の説明】
【００３２】
１  ベッド                    ２  基台
３  ヘッドボード              ４  フットボード
5a〜5d  サイドレール          6,7  支持フレーム
8a〜8d  サイドガード          ９  上側ガード部材
10  下側ガード部材            11  中間ガード部材
12,18  挿入部                 13,19  装着部
14,20  水平フレーム           15,21  水平装着部
16  垂直フレーム              17,22  垂直装着部
【図１】
2020195835.tif 000003
【図２】
2020195835.tif 000004